(57)【要約】【課題】異常な状況が映る撮影画像を効率よく収集することができる情報処理方法、情報処理装置及び情報処理プログラムを提供する。【解決手段】管理装置１は、移動体に設置された撮影装置の撮影により得られる撮像画像の記録のトリガとなる所定のイベントの発生が検知された時点の移動体の位置を示す位置情報を取得するイベント検知情報取得部１２１と、移動体の運転者の行動履歴を示す行動履歴情報及び運転者の関係者に関する関係者情報の少なくとも一方に基づいて、位置情報の示す位置が、運転者が複数回訪れたと推定される位置であるか否かを判定する危険判定部１２２と、位置情報の示す位置が、運転者が複数回訪れたと推定される位置であるか否かの判定に応じて、撮影画像の記録を制御するタグ付与制御部１２３とを備える。【選択図】図２
2019028986.tif 000002
【特許請求の範囲】
【請求項１】
プロセッサを用いて、
移動体に設置された撮影装置の撮影により得られる撮像画像の記録のトリガとなる所定のイベントの発生が検知された時点の前記移動体の位置を示す位置情報を取得し、
前記移動体の運転者の行動履歴を示す行動履歴情報及び前記運転者の関係者に関する関係者情報の少なくとも一方に基づいて、前記位置情報の示す位置が、前記運転者が複数回訪れたと推定される位置であるか否かを判定し、
前記位置情報の示す位置が、前記運転者が複数回訪れたと推定される位置であるか否かの判定に応じて、前記撮影画像の記録を制御する、
情報処理方法。
【請求項２】
前記行動履歴情報は、前記移動体の移動履歴を含み、
前記判定は、前記移動体の移動履歴に基づいて、前記位置情報の示す位置が、前記移動体が過去に複数回数通過したことがある位置であるか否かを判定することを含む、
請求項１記載の情報処理方法。
【請求項３】
前記行動履歴情報は、前記移動体に予め登録されているルート又は目的地を含み、
前記判定は、前記位置情報の示す位置が、前記ルート上に存在する位置であるか否か、又は前記位置情報の示す位置が、前記目的地から所定の範囲内に存在する位置であるか否かを判定することを含む、
請求項１記載の情報処理方法。
【請求項４】
前記行動履歴情報は、前記運転者の移動履歴を含み、
前記判定は、前記運転者の移動履歴に基づいて、前記位置情報の示す位置が、前記運転者が過去に複数回数通過したことがある位置であるか否かを判定することを含む、
請求項１記載の情報処理方法。
【請求項５】
前記行動履歴情報は、前記運転者が特定の行動を実施した場所として予め登録された実施場所を含み、
前記判定は、前記位置情報の示す位置が、前記実施場所から所定の範囲内に存在する位置であるか否かを判定することを含む、
請求項１記載の情報処理方法。
【請求項６】
前記関係者情報は、前記関係者が住む場所として予め登録された居住場所を含み、
前記判定は、前記位置情報の示す位置が、前記居住場所から所定の範囲内に存在する位置であるか否かを判定することを含む、
請求項１記載の情報処理方法。
【請求項７】
前記撮影画像の記録制御は、前記撮影画像を分類して記録することを含む、
請求項１〜６のいずれか１項に記載の情報処理方法。
【請求項８】
前記撮影画像を分類して記録することは、
前記位置情報の示す位置が、前記運転者が複数回訪れたと推定される位置であると判定された場合に、前記運転者が複数回訪れたと推定される位置であることを示すタグを前記撮影画像に付与して記録すること、又は
前記位置情報の示す位置が、前記運転者が複数回訪れたと推定される位置であると判定されなかった場合に、前記運転者が複数回訪れたと推定される位置でないことを示すタグを前記撮影画像に付与して記録すること、を含む、
請求項７記載の情報処理方法。
【請求項９】
前記判定は、前記移動体の移動履歴に基づいて、前記位置情報の示す位置が、前記移動体が過去に複数回数通過したことがある位置であるか否かを判定する第１の判定処理、前記位置情報の示す位置が、前記移動体に予め登録されているルート上に存在する位置であるか否か、又は前記位置情報の示す位置が、前記移動体に予め登録されている目的地から所定の範囲内に存在する位置であるか否かを判定する第２の判定処理、前記運転者の移動履歴に基づいて、前記位置情報の示す位置が、前記運転者が過去に複数回数通過したことがある位置であるか否かを判定する第３の判定処理、前記位置情報の示す位置が、前記関係者が住む場所として予め登録された居住場所から所定の範囲内に存在する位置であるか否かを判定する第４の判定処理、及び、前記位置情報の示す位置が、前記運転者が特定の行動を実施した場所として予め登録された実施場所から所定の範囲内に存在する位置であるか否かを判定する第５の判定処理の少なくとも１つを行うことを含み、
前記撮影画像の記録制御は、前記第１の判定処理、前記第２の判定処理、前記第３の判定処理、前記第４の判定処理及び前記第５の判定処理のうちの少なくとも１つの判定結果に応じて、行われた判定処理毎に前記撮影画像を分類して記録することを含む、
請求項７又は８記載の情報処理方法。
【請求項１０】
前記撮影画像の記録制御は、
前記位置情報の示す位置が、前記運転者が複数回訪れたと推定される位置であると判定された場合に前記撮影画像を記録し、
前記位置情報の示す位置が、前記運転者が複数回訪れたと推定される位置であると判定されなかった場合に前記撮影画像を記録しないこと、を含む、
請求項１〜６のいずれか１項に記載の情報処理方法。
【請求項１１】
さらに、前記所定のイベントの発生が検知された時刻を示す時間情報を取得し、
前記行動履歴情報は、前記移動体の移動履歴と、前記移動体の移動時刻とを含み、
さらに、前記位置情報の示す位置が、前記移動体が過去に複数回数通過したことがある位置であると判定された場合、前記時間情報の示す時刻が、前記位置を前記移動体が過去に通過した際の前記移動時刻により特定される通過時間帯に含まれるか否かを判定する第６の判定処理を行い、
前記判定と前記第６の判定処理とに応じて、前記撮影画像の記録を制御する、
請求項１記載の情報処理方法。
【請求項１２】
さらに、前記所定のイベントの発生が検知された時点の前記移動体の外部環境を示す環境情報を取得し、
前記行動履歴情報は、前記移動体の移動履歴と、前記移動体が移動した際の前記外部環境とを含み、
さらに、前記位置情報の示す位置が、前記運転者が複数回訪れたと推定される位置であると判定された場合、前記環境情報の示す前記外部環境が、前記位置を前記移動体が過去に通過した際の前記外部環境と一致するか否かを判定する第７の判定処理を行い、
前記判定と前記第７の判定処理とに応じて、前記撮影画像の記録を制御する、
請求項１記載の情報処理方法。
【請求項１３】
前記環境情報は、天候を示す情報、前記移動体が通過する道路が混雑しているか否かを示す情報、及び前記移動体の外部の明るさを示す情報のうちの少なくとも１つを含む、
請求項１２記載の情報処理方法。
【請求項１４】
移動体に設置された撮影装置の撮影により得られる撮像画像の記録のトリガとなる所定のイベントの発生が検知された時点の前記移動体の位置を示す位置情報を取得する取得部と、
前記移動体の運転者の行動履歴を示す行動履歴情報及び前記運転者の関係者に関する関係者情報の少なくとも一方に基づいて、前記位置情報の示す位置が、前記運転者が複数回訪れたと推定される位置であるか否かを判定する判定部と、
前記位置情報の示す位置が、前記運転者が複数回訪れたと推定される位置であるか否かの判定に応じて、前記撮影画像の記録を制御する記録制御部と、
を備える情報処理装置。
【請求項１５】
コンピュータを、
移動体に設置された撮影装置の撮影により得られる撮像画像の記録のトリガとなる所定のイベントの発生が検知された時点の前記移動体の位置を示す位置情報を取得する取得部と、
前記移動体の運転者の行動履歴を示す行動履歴情報及び前記運転者の関係者に関する関係者情報の少なくとも一方に基づいて、前記位置情報の示す位置が、前記運転者が複数回訪れたと推定される位置であるか否かを判定する判定部と、
前記位置情報の示す位置が、前記運転者が複数回訪れたと推定される位置であるか否かの判定に応じて、前記撮影画像の記録を制御する記録制御部として機能させる、
情報処理プログラム。
【発明の詳細な説明】
【技術分野】
【０００１】
本開示は、移動体に設置された撮影装置により撮影された撮像画像に対して処理を行う情報処理方法、情報処理装置及び情報処理プログラムに関するものである。
【背景技術】
【０００２】
従来、車両の加速度が所定の閾値を超えた際にヒヤリ・ハットと呼ばれる事故には至らない危険な状況が発生したと判定し、危険な状況が発生した時点の前後に撮影された画像情報を記憶するドライブレコーダが知られている（例えば、特許文献１参照）。
【０００３】
また、従来、過去のドライバーの車両運転時に収集された情報に基づいて生成された、ドライバーの生体情報が平常な状態から変化する場所が記録されたハザードマップ情報をハザードマップ記憶部に記憶しており、取得された車両の位置がハザードマップ情報に記録された場所であるときに、取得されたドライバーのリアルタイムの生体情報に所定の変化がなければ、ドライバーの状態が危険な状態であると判定し、ドライバーに対して注意喚起の警告を行う運転支援装置が知られている（例えば、特許文献２参照）。
【先行技術文献】
【特許文献】
【０００４】
【特許文献１】特開２０１３−１１７７７７号公報
【特許文献２】特開２０１１−２４２１９０号公報
【発明の概要】
【発明が解決しようとする課題】
【０００５】
しかしながら、特許文献１で開示される発明では、ドライブレコーダで記憶される画像情報の中には、実際には危険な状況が発生していない画像情報も含まれることがあった。
【０００６】
また、特許文献２では、車両の現在位置が過去に生体情報が変化した場所である場合、ドライバーの状態が危険な状態であるか否かの判定が行われるが、車両の現在位置が過去に生体情報が変化していない場所である場合、ドライバーの状態が危険な状態であるか否かの判定が行われなかった。
【０００７】
本開示は、上記の問題を解決するためになされたもので、異常な状況が映る撮影画像を効率よく収集することができる情報処理方法、情報処理装置及び情報処理プログラムを提供することを目的とするものである。
【課題を解決するための手段】
【０００８】
本開示の一態様に係る情報処理方法は、プロセッサを用いて、移動体に設置された撮影装置の撮影により得られる撮像画像の記録のトリガとなる所定のイベントの発生が検知された時点の前記移動体の位置を示す位置情報を取得し、前記移動体の運転者の行動履歴を示す行動履歴情報及び前記運転者の関係者に関する関係者情報の少なくとも一方に基づいて、前記位置情報の示す位置が、前記運転者が複数回訪れたと推定される位置であるか否かを判定し、前記位置情報の示す位置が、前記運転者が複数回訪れたと推定される位置であるか否かの判定に応じて、前記撮影画像の記録を制御する。
【発明の効果】
【０００９】
本開示によれば、異常な状況が映る撮影画像を効率よく収集することができる。
【図面の簡単な説明】
【００１０】
【図１】本実施の形態１におけるシステムの全体構成を概念的に示す図である。
【図２】本実施の形態１における管理装置の構成を示すブロック図である。
【図３】本実施の形態１において、イベント録画情報について説明するための模式図である。
【図４】本実施の形態１における撮影装置の構成を示すブロック図である。
【図５】本実施の形態１における管理装置の処理を説明するための第１のフローチャートである。
【図６】本実施の形態１における管理装置の処理を説明するための第２のフローチャートである。
【図７】本実施の形態１において、イベント検知位置が車両の走行ルート上に存在するか否かを判定する処理について説明するための模式図である。
【図８】本実施の形態１における撮影装置の処理を説明するためのフローチャートである。
【図９】本実施の形態２における管理装置の構成を示すブロック図である。
【図１０】本実施の形態２における撮影装置の構成を示すブロック図である。
【図１１】本実施の形態２における撮影装置の処理を説明するためのフローチャートである。
【図１２】本実施の形態２において、イベント録画情報を第１のグループ又は第４のグループに分類する処理について説明するための模式図である。
【図１３】本実施の形態３における管理装置の構成を示すブロック図である。
【図１４】本実施の形態３における撮影装置の構成を示すブロック図である。
【図１５】本実施の形態３における管理装置の処理を説明するためのフローチャートである。
【図１６】本実施の形態４における管理装置の構成を示すブロック図である。
【図１７】本実施の形態４における撮影装置の構成を示すブロック図である。
【図１８】本実施の形態４における管理装置の処理を説明するためのフローチャートである。
【図１９】本実施の形態４における撮影装置の処理を説明するためのフローチャートである。
【発明を実施するための形態】
【００１１】
（本開示の基礎となった知見）
従来のドライブレコーダは、車両の加速度が単純に１回でも所定の閾値を超えたことを条件として危険な状況が発生したと判定するので、ノイズ又は走行中の外乱によって一時的に大きな加速度が検知された場合であっても、危険な状況が発生したと判定するおそれがあった。
【００１２】
そのため、従来のドライブレコーダで記憶される画像情報の中には、実際には危険な状況が発生していない画像情報も含まれることがあった。
【００１３】
また、従来の運転支援装置では、車両の現在位置が過去に生体情報が変化した場所である場合、ドライバーの状態が危険な状態であるか否かの判定が行われるが、車両の現在位置が過去に生体情報が変化していない場所である場合、ドライバーの状態が危険な状態であるか否かの判定が行われない。
【００１４】
そのため、過去に生体情報が変化した場所のように、ドライバーが走行に慣れておらず、急ブレーキなどの所定のイベントが発生しやすい場所では、ドライバーの状態が危険な状態であるか否かの判定が行われるが、過去に生体情報が変化していない場所のように、ドライバーが走行に慣れており、急ブレーキなどの所定のイベントが発生しにくい場所では、ドライバーの状態が危険な状態であるか否かの判定が行われない。
【００１５】
以上の課題を解決するために、本開示の一態様に係る情報処理方法は、プロセッサを用いて、移動体に設置された撮影装置の撮影により得られる撮像画像の記録のトリガとなる所定のイベントの発生が検知された時点の前記移動体の位置を示す位置情報を取得し、前記移動体の運転者の行動履歴を示す行動履歴情報及び前記運転者の関係者に関する関係者情報の少なくとも一方に基づいて、前記位置情報の示す位置が、前記運転者が複数回訪れたと推定される位置であるか否かを判定し、前記位置情報の示す位置が、前記運転者が複数回訪れたと推定される位置であるか否かの判定に応じて、前記撮影画像の記録を制御する。
【００１６】
この構成によれば、移動体に設置された撮影装置の撮影により得られる撮像画像の記録のトリガとなる所定のイベントの発生が検知された時点の移動体の位置を示す位置情報が取得される。移動体の運転者の行動履歴を示す行動履歴情報及び運転者の関係者に関する関係者情報の少なくとも一方に基づいて、位置情報の示す位置が、運転者が複数回訪れたと推定される位置であるか否かが判定される。位置情報の示す位置が、運転者が複数回訪れたと推定される位置であるか否かの判定に応じて、撮影画像の記録が制御される。
【００１７】
したがって、所定のイベントの発生が検知された時点の移動体の位置が、運転者が複数回訪れたと推定される位置である場合、運転者が走行に慣れている場所で所定のイベントが発生したと推定することができる。このように、運転者が走行に慣れている場所で所定のイベントが発生した場合、所定のイベントは、運転者が異常な状況であったため発生したと推定することができ、異常な状況が映る撮影画像を効率よく、すなわち無駄なく且つ漏れなく収集することができる。
【００１８】
なお、異常な状況とは、事故には至らないものの、場合によっては事故に直結したかもしれない危険な状況を示し、いわゆるヒヤリ・ハット事例に該当する状況を示す。
【００１９】
また、上記の情報処理方法において、前記行動履歴情報は、前記移動体の移動履歴を含み、前記判定は、前記移動体の移動履歴に基づいて、前記位置情報の示す位置が、前記移動体が過去に複数回数通過したことがある位置であるか否かを判定することを含んでもよい。
【００２０】
この構成によれば、行動履歴情報は、移動体の移動履歴を含む。移動体の移動履歴に基づいて、位置情報の示す位置が、移動体が過去に複数回数通過したことがある位置であるか否かが判定される。
【００２１】
したがって、移動体の移動履歴に基づいて、位置情報の示す位置が、移動体が過去に複数回数通過したことがある位置であると判定された場合、運転者が走行に慣れている場所で所定のイベントが発生したと推定することができる。
【００２２】
また、上記の情報処理方法において、前記行動履歴情報は、前記移動体に予め登録されているルート又は目的地を含み、前記判定は、前記位置情報の示す位置が、前記ルート上に存在する位置であるか否か、又は前記位置情報の示す位置が、前記目的地から所定の範囲内に存在する位置であるか否かを判定することを含んでもよい。
【００２３】
この構成によれば、行動履歴情報は、移動体に予め登録されているルート又は目的地を含む。位置情報の示す位置が、ルート上に存在する位置であるか否か、又は位置情報の示す位置が、目的地から所定の範囲内に存在する位置であるか否かが判定される。
【００２４】
したがって、位置情報の示す位置が、移動体に予め登録されているルート上に存在する位置であると判定された場合、又は位置情報の示す位置が、移動体に予め登録されている目的地から所定の範囲内に存在する位置であると判定された場合、運転者が走行に慣れている場所で所定のイベントが発生したと推定することができる。
【００２５】
また、上記の情報処理方法において、前記行動履歴情報は、前記運転者の移動履歴を含み、前記判定は、前記運転者の移動履歴に基づいて、前記位置情報の示す位置が、前記運転者が過去に複数回数通過したことがある位置であるか否かを判定することを含んでもよい。
【００２６】
この構成によれば、行動履歴情報は、運転者の移動履歴を含む。運転者の移動履歴に基づいて、位置情報の示す位置が、運転者が過去に複数回数通過したことがある位置であるか否かが判定される。
【００２７】
したがって、運転者の移動履歴に基づいて、位置情報の示す位置が、運転者が過去に複数回数通過したことがある位置であると判定された場合、運転者が走行に慣れている場所で所定のイベントが発生したと推定することができる。
【００２８】
また、上記の情報処理方法において、前記行動履歴情報は、前記運転者が特定の行動を実施した場所として予め登録された実施場所を含み、前記判定は、前記位置情報の示す位置が、前記実施場所から所定の範囲内に存在する位置であるか否かを判定することを含んでもよい。
【００２９】
この構成によれば、行動履歴情報は、運転者が特定の行動を実施した場所として予め登録された実施場所を含む。位置情報の示す位置が、実施場所から所定の範囲内に存在する位置であるか否かが判定される。
【００３０】
したがって、位置情報の示す位置が、運転者が特定の行動を実施した場所として予め登録された実施場所から所定の範囲内に存在する位置であると判定された場合、運転者が走行に慣れている場所で所定のイベントが発生したと推定することができる。
【００３１】
また、上記の情報処理方法において、前記関係者情報は、前記関係者が住む場所として予め登録された居住場所を含み、前記判定は、前記位置情報の示す位置が、前記居住場所から所定の範囲内に存在する位置であるか否かを判定することを含んでもよい。
【００３２】
この構成によれば、関係者情報は、関係者が住む場所として予め登録された居住場所を含む。位置情報の示す位置が、居住場所から所定の範囲内に存在する位置であるか否かが判定される。
【００３３】
したがって、位置情報の示す位置が、関係者が住む場所として予め登録された居住場所から所定の範囲内に存在する位置であるかと判定された場合、運転者が走行に慣れている場所で所定のイベントが発生したと推定することができる。
【００３４】
また、上記の情報処理方法において、前記撮影画像の記録制御は、前記撮影画像を分類して記録することを含んでもよい。
【００３５】
この構成によれば、撮影画像が分類して記録されるので、異常な状況が映る撮影画像を効率よく収集することができる。
【００３６】
また、上記の情報処理方法において、前記撮影画像を分類して記録することは、前記位置情報の示す位置が、前記運転者が複数回訪れたと推定される位置であると判定された場合に、前記運転者が複数回訪れたと推定される位置であることを示すタグを前記撮影画像に付与して記録すること、又は前記位置情報の示す位置が、前記運転者が複数回訪れたと推定される位置であると判定されなかった場合に、前記運転者が複数回訪れたと推定される位置でないことを示すタグを前記撮影画像に付与して記録すること、を含んでもよい。
【００３７】
この構成によれば、異常な状況が映る撮影画像又は異常な状況が映っていない撮影画像を示すタグが撮影画像に付与されるため、タグを参照することにより異常な状況が映る撮影画像を区別することができる。
【００３８】
また、上記の情報処理方法において、前記判定は、前記移動体の移動履歴に基づいて、前記位置情報の示す位置が、前記移動体が過去に複数回数通過したことがある位置であるか否かを判定する第１の判定処理、前記位置情報の示す位置が、前記移動体に予め登録されているルート上に存在する位置であるか否か、又は前記位置情報の示す位置が、前記移動体に予め登録されている目的地から所定の範囲内に存在する位置であるか否かを判定する第２の判定処理、前記運転者の移動履歴に基づいて、前記位置情報の示す位置が、前記運転者が過去に複数回数通過したことがある位置であるか否かを判定する第３の判定処理、前記位置情報の示す位置が、前記関係者が住む場所として予め登録された居住場所から所定の範囲内に存在する位置であるか否かを判定する第４の判定処理、及び、前記位置情報の示す位置が、前記運転者が特定の行動を実施した場所として予め登録された実施場所から所定の範囲内に存在する位置であるか否かを判定する第５の判定処理の少なくとも１つを行うことを含み、前記撮影画像の記録制御は、前記第１の判定処理、前記第２の判定処理、前記第３の判定処理、前記第４の判定処理及び前記第５の判定処理のうちの少なくとも１つの判定結果に応じて、行われた判定処理毎に前記撮影画像を分類して記録することを含んでもよい。
【００３９】
この構成によれば、移動体の移動履歴に基づいて、位置情報の示す位置が、移動体が過去に複数回数通過したことがある位置であるか否かを判定する第１の判定処理、位置情報の示す位置が、移動体に予め登録されているルート上に存在する位置であるか否か、又は位置情報の示す位置が、移動体に予め登録されている目的地から所定の範囲内に存在する位置であるか否かを判定する第２の判定処理、運転者の移動履歴に基づいて、位置情報の示す位置が、運転者が過去に複数回数通過したことがある位置であるか否かを判定する第３の判定処理、位置情報の示す位置が、関係者が住む場所として予め登録された居住場所から所定の範囲内に存在する位置であるか否かを判定する第４の判定処理、及び、位置情報の示す位置が、運転者が特定の行動を実施した場所として予め登録された実施場所から所定の範囲内に存在する位置であるか否かを判定する第５の判定処理の少なくとも１つが行われる。第１の判定処理、第２の判定処理、第３の判定処理、第４の判定処理及び第５の判定処理のうちの少なくとも１つの判定結果に応じて、行われた判定処理毎に撮影画像が分類されて記録される。
【００４０】
したがって、位置情報の示す位置が、運転者が複数回訪れたと推定される位置であるか否かを判定する精度が判定処理毎に異なる場合、管理者は、第１の判定処理、第２の判定処理、第３の判定処理、第４の判定処理及び第５の判定処理のうちのいずれの判定処理で肯定的な結果が得られたかを確認することにより、異常な状況が映る撮影画像を効率よく抽出することができる。
【００４１】
また、上記の情報処理方法において、前記撮影画像の記録制御は、前記位置情報の示す位置が、前記運転者が複数回訪れたと推定される位置であると判定された場合に前記撮影画像を記録し、前記位置情報の示す位置が、前記運転者が複数回訪れたと推定される位置であると判定されなかった場合に前記撮影画像を記録しないこと、を含んでもよい。
【００４２】
この構成によれば、異常な状況が映る撮影画像のみが記録されるため、異常な状況が映る撮影画像の検索が不要となる。また、撮影画像の記憶容量の増大を抑制することができる。
【００４３】
また、上記の情報処理方法において、さらに、前記所定のイベントの発生が検知された時刻を示す時間情報を取得し、前記行動履歴情報は、前記移動体の移動履歴と、前記移動体の移動時刻とを含み、さらに、前記位置情報の示す位置が、前記移動体が過去に複数回数通過したことがある位置であると判定された場合、前記時間情報の示す時刻が、前記位置を前記移動体が過去に通過した際の前記移動時刻により特定される通過時間帯に含まれるか否かを判定する第６の判定処理を行い、前記判定と前記第６の判定処理とに応じて、前記撮影画像の記録を制御してもよい。
【００４４】
この構成によれば、所定のイベントの発生が検知された時刻を示す時間情報が取得される。行動履歴情報は、移動体の移動履歴と、移動体の移動時刻とを含む。位置情報の示す位置が、移動体が過去に複数回数通過したことがある位置であると判定された場合、時間情報の示す時刻が、位置を移動体が過去に通過した際の移動時刻により特定される通過時間帯に含まれるか否かを判定する第６の判定処理が行われる。判定と第６の判定処理とに応じて、撮影画像の記録が制御される。
【００４５】
したがって、所定のイベントの発生が検知された時刻が、位置を移動体が過去に通過した際の移動時刻により特定される通過時間帯に含まれると判定された場合、所定のイベントは、運転者が異常な状況であったため発生したと推定することができ、異常な状況が映る撮影画像をより確実に収集することができる。
【００４６】
また、上記の情報処理方法において、さらに、前記所定のイベントの発生が検知された時点の前記移動体の外部環境を示す環境情報を取得し、前記行動履歴情報は、前記移動体の移動履歴と、前記移動体が移動した際の前記外部環境とを含み、さらに、前記位置情報の示す位置が、前記運転者が複数回訪れたと推定される位置であると判定された場合、前記環境情報の示す前記外部環境が、前記位置を前記移動体が過去に通過した際の前記外部環境と一致するか否かを判定する第７の判定処理を行い、前記判定と前記第７の判定処理とに応じて、前記撮影画像の記録を制御してもよい。
【００４７】
この構成によれば、所定のイベントの発生が検知された時点の移動体の外部環境を示す環境情報が取得される。行動履歴情報は、移動体の移動履歴と、移動体が移動した際の外部環境とを含む。位置情報の示す位置が、運転者が複数回訪れたと推定される位置であると判定された場合、環境情報の示す外部環境が、位置を移動体が過去に通過した際の外部環境と一致するか否かを判定する第７の判定処理が行われる。判定と第７の判定処理とに応じて、撮影画像の記録が制御される。
【００４８】
したがって、所定のイベントの発生が検知された時点の移動体の外部環境が、位置を移動体が過去に通過した際の外部環境と一致すると判定された場合、所定のイベントは、運転者が異常な状況であったため発生したと推定することができ、異常な状況が映る撮影画像をより確実に収集することができる。
【００４９】
また、上記の情報処理方法において、前記環境情報は、天候を示す情報、前記移動体が通過する道路が混雑しているか否かを示す情報、及び前記移動体の外部の明るさを示す情報のうちの少なくとも１つを含んでもよい。
【００５０】
この構成によれば、外部環境として、天候、移動体が通過する道路の混雑状況、及び移動体の外部の明るさのうちの少なくとも１つを用いることができる。
【００５１】
本開示の他の態様に係る情報処理装置は、移動体に設置された撮影装置の撮影により得られる撮像画像の記録のトリガとなる所定のイベントの発生が検知された時点の前記移動体の位置を示す位置情報を取得する取得部と、前記移動体の運転者の行動履歴を示す行動履歴情報及び前記運転者の関係者に関する関係者情報の少なくとも一方に基づいて、前記位置情報の示す位置が、前記運転者が複数回訪れたと推定される位置であるか否かを判定する判定部と、前記位置情報の示す位置が、前記運転者が複数回訪れたと推定される位置であるか否かの判定に応じて、前記撮影画像の記録を制御する記録制御部と、を備える。
【００５２】
この構成によれば、移動体に設置された撮影装置の撮影により得られる撮像画像の記録のトリガとなる所定のイベントの発生が検知された時点の移動体の位置を示す位置情報が取得される。移動体の運転者の行動履歴を示す行動履歴情報及び運転者の関係者に関する関係者情報の少なくとも一方に基づいて、位置情報の示す位置が、運転者が複数回訪れたと推定される位置であるか否かが判定される。位置情報の示す位置が、運転者が複数回訪れたと推定される位置であるか否かの判定に応じて、撮影画像の記録が制御される。
【００５３】
したがって、所定のイベントの発生が検知された時点の移動体の位置が、運転者が複数回訪れたと推定される位置である場合、運転者が走行に慣れている場所で所定のイベントが発生したと推定することができる。このように、運転者が走行に慣れている場所で所定のイベントが発生した場合、所定のイベントは、運転者が異常な状況であったため発生したと推定することができ、異常な状況が映る撮影画像を効率よく収集することができる。
【００５４】
本開示の他の態様に係る情報処理プログラムは、コンピュータを、移動体に設置された撮影装置の撮影により得られる撮像画像の記録のトリガとなる所定のイベントの発生が検知された時点の前記移動体の位置を示す位置情報を取得する取得部と、前記移動体の運転者の行動履歴を示す行動履歴情報及び前記運転者の関係者に関する関係者情報の少なくとも一方に基づいて、前記位置情報の示す位置が、前記運転者が複数回訪れたと推定される位置であるか否かを判定する判定部と、前記位置情報の示す位置が、前記運転者が複数回訪れたと推定される位置であるか否かの判定に応じて、前記撮影画像の記録を制御する記録制御部として機能させる。
【００５５】
この構成によれば、移動体に設置された撮影装置の撮影により得られる撮像画像の記録のトリガとなる所定のイベントの発生が検知された時点の移動体の位置を示す位置情報が取得される。移動体の運転者の行動履歴を示す行動履歴情報及び運転者の関係者に関する関係者情報の少なくとも一方に基づいて、位置情報の示す位置が、運転者が複数回訪れたと推定される位置であるか否かが判定される。位置情報の示す位置が、運転者が複数回訪れたと推定される位置であるか否かの判定に応じて、撮影画像の記録が制御される。
【００５６】
したがって、所定のイベントの発生が検知された時点の移動体の位置が、運転者が複数回訪れたと推定される位置である場合、運転者が走行に慣れている場所で所定のイベントが発生したと推定することができる。このように、運転者が走行に慣れている場所で所定のイベントが発生した場合、所定のイベントは、運転者が異常な状況であったため発生したと推定することができ、異常な状況が映る撮影画像を効率よく収集することができる。
【００５７】
以下添付図面を参照しながら、本開示の実施の形態について説明する。なお、以下の実施の形態は、本開示を具体化した一例であって、本開示の技術的範囲を限定するものではない。
【００５８】
（実施の形態１）
本実施の形態１では、車両に搭載された撮影装置で撮影された撮影画像の記録のトリガとなる所定のイベントの発生が検知された時点の移動体の位置を示す位置情報を取得し、移動体のドライバーの行動履歴を示す行動履歴情報及びドライバーの関係者に関する関係者情報の少なくとも一方に基づいて、位置情報の示す位置が、ドライバーが複数回訪れたと推定される位置であるか否かを判定する方法について説明する。なお、本実施の形態１における移動体は、車両である。
【００５９】
図１は、本実施の形態１におけるシステムの全体構成を概念的に示す図である。
【００６０】
図１に示すシステムは、管理装置１と、車両４に搭載された撮影装置２とを備える。管理装置１は、撮影装置２と通信ネットワーク５を介して通信可能に接続されている。通信ネットワーク５は、例えば、インターネットである。
【００６１】
管理装置１は、例えば、サーバであり、通信ネットワーク５を介して、車両４に設置された撮影装置２の撮影により得られる撮像画像の記録のトリガとなる所定のイベントの発生が検知された時点の車両４の位置を示す位置情報を含むイベント検知情報を撮影装置２から受信する。また、管理装置１は、撮影装置２から受信したイベント検知情報に含まれる位置情報の示す位置が、ドライバーが複数回訪れたと推定される位置であるか否かを判定する。
【００６２】
撮影装置２は、例えば、ドライブレコーダであり、車両４に搭載される。撮影装置２は、車両４の進行方向を撮影する。撮影装置２は、所定のイベントの発生を検知したことをトリガに、所定のイベントの発生が検知された時点を基準とする特定の時点の撮影データを含むイベント録画情報を作成する。撮影データは、少なくとも１つの撮像画像である。具体的には、撮影装置２は、所定のイベントの発生が検知された時点から所定時間前までの第１の期間と、所定のイベントの発生が検知された時点から所定時間後までの第２の期間とを含む第３の期間の撮影データを含むイベント録画情報を記録する。また、撮影装置２は、所定のイベントの発生が検知された時点の車両４の位置を示す位置情報を含むイベント検知情報を管理装置１に送信する。
【００６３】
なお、撮影装置２は、ドライブレコーダに限定されず、撮影する機能を有し、所定のイベントの発生を検知したことをトリガに、イベント発生検知時点から前後の所定期間の撮影データを含むイベント録画情報を記録する機能を有していればよく、例えば、撮影装置２は、スマートフォンなどであってもよい。また、撮影装置２は、撮影機能を有する車載カメラと、イベント発生検知をトリガにイベント発生検知時点から前後の所定期間の撮影データを含むイベント録画情報を記録する記録装置と、イベント検知情報を管理装置１に送信する通信部とを備えてもよい。記録装置としては、例えば、ハードディスクなどがある。
【００６４】
以下に、管理装置１及び撮影装置２の構成について、詳細に説明する。
【００６５】
図２は、本実施の形態１における管理装置の構成を示すブロック図である。
【００６６】
管理装置１は、通信部１１、制御部１２及び記憶部１３を備える。
【００６７】
通信部１１は、無線又は有線を用いて、インターネット等の通信ネットワーク５を介して、撮影装置２などの外部装置と通信を行い、情報を送受信する。
【００６８】
制御部１２は、例えばＣＰＵ（Ｃｅｎｔｒａｌ  Ｐｒｏｃｅｓｓｉｎｇ  Ｕｎｉｔ：中央演算処理装置）であり、イベント検知情報取得部１２１、危険判定部１２２及びタグ付与制御部１２３を備える。
【００６９】
記憶部１３は、イベント検知情報記憶部１３１、行動履歴情報記憶部１３２、関係者情報記憶部１３３及び他装置情報記憶部１３４を備える。
【００７０】
イベント検知情報取得部１２１は、通信部１１を介して、撮影装置２によって送信されたイベント検知情報を取得する。イベント検知情報は、車両４に設置された撮影装置２の撮影により得られる撮像画像の記録のトリガとなる所定のイベントの発生が検知された時点の車両４の位置を示すイベント検知位置情報と、所定のイベントを識別するためのイベント識別情報とを含む。
【００７１】
ここで、所定のイベントとは、事故には至らないものの、場合によっては事故に直結したかもしれないヒヤリ・ハット事象の発生に伴い、発生する種々のイベントを示す。所定のイベントの例としては、ドライバーが急ブレーキを踏む行為により発生する加速度が閾値を超えるというイベントがある。また、所定のイベントの別の例としては、ドライバーが急にハンドルをきる行為により発生する操舵角の変化量又は車両４のヨーレートもしくはロールレートが閾値を超えるというイベントがある。また、所定のイベントのさらに別の例としては、ドライバーがアクセルからブレーキに素早く踏みかえる行為により発生する、アクセルを離してからブレーキを踏み込むまでの時間が閾値を下回るというイベントがある。
【００７２】
イベント検知情報記憶部１３１は、イベント検知情報取得部１２１により取得されたイベント検知情報を記憶する。
【００７３】
危険判定部１２２は、車両４のドライバーの行動履歴を示す行動履歴情報及びドライバーの関係者に関する関係者情報の少なくとも一方に基づいて、イベント検知位置情報の示すイベント検知位置が、ドライバーが複数回訪れたと推定される位置であるか否かを判定する。
【００７４】
これにより、ドライバーが普段からよく利用するルート及び普段からよく通る場所において発生するイベントは、事故には至らないものの、場合によっては事故に直結したかもしれない危険な状況に起因して発生したと推定することが可能である。慣れている道であるにも拘わらず、ドライバーが急ブレーキを踏むということは、危険な状況が発生した可能性が高い。そのため、イベント検知位置が、ドライバーが複数回訪れたと推定される位置であると判定された場合、イベント検知位置で撮影された撮影画像は、危険な状況が映る画像であると推定することができる。
【００７５】
行動履歴情報記憶部１３２は、車両４のドライバーの行動履歴を示す行動履歴情報を記憶する。行動履歴情報記憶部１３２は、走行ルート情報記憶部１３２１、登録情報記憶部１３２２及びドライバー移動履歴記憶部１３２３を備える。
【００７６】
走行ルート情報記憶部１３２１は、車両４の移動履歴を記憶する。走行ルート情報記憶部１３２１は、車両４を識別するための車両識別情報と、車両４の過去の走行ルートと、当該走行ルートを車両４が走行した回数とを対応付けて記憶する。なお、車両識別情報は、車両４に配置された撮影装置２を識別するための撮影装置識別情報であってもよい。
【００７７】
危険判定部１２２は、車両４の移動履歴に基づいて、イベント検知位置情報の示すイベント検知位置が、車両４が過去に複数回数通過したことがある位置であるか否かを判定する。具体的には、危険判定部１２２は、走行回数が所定回数以上である走行ルートを走行ルート情報記憶部１３２１から抽出し、イベント検知位置情報の示すイベント検知位置が、抽出した走行ルート上に存在するか否かを判定する。危険判定部１２２は、イベント検知位置が、車両４が過去に複数回数通過したことがある位置であると判定した場合、イベント検知位置が、ドライバーが複数回訪れたと推定される位置であると判定する。
【００７８】
登録情報記憶部１３２２は、車両４に予め登録されているルート又は目的地を記憶する。登録情報記憶部１３２２は、車両４に配置されたカーナビゲーション装置に予め登録された登録ルート又は車両４に配置されたカーナビゲーション装置に予め登録された目的地を記憶する。カーナビゲーション装置は、ドライバーによる目的地の入力を受け付け、現在位置から目的地までの走行ルートを算出し、算出した走行ルートを登録ルートとして登録する。また、カーナビゲーション装置は、登録ルートに従ってドライバーを案内する。カーナビゲーション装置は、登録された登録ルート又は目的地を管理装置１へ送信する。管理装置１の通信部１１は、カーナビゲーション装置から受信した登録ルート又は目的地を登録情報記憶部１３２２に記憶する。登録情報記憶部１３２２は、車両４を識別するための車両識別情報と、登録された登録ルート又は目的地とを対応付けて記憶する。
【００７９】
危険判定部１２２は、イベント検知位置情報の示すイベント検知位置が、登録された登録ルート上に存在する位置であるか否か、又はイベント検知位置情報の示すイベント検知位置が、登録された目的地から所定の範囲内に存在する位置であるか否かを判定する。危険判定部１２２は、イベント検知位置が、登録された登録ルート上に存在する位置であると判定した場合、又はイベント検知位置が、登録された目的地から所定の範囲内に存在する位置であると判定した場合、イベント検知位置が、ドライバーが複数回訪れたと推定される位置であると判定する。
【００８０】
なお、登録情報記憶部１３２２は、ドライバーが特定の行動を実施した場所として予め登録された実施場所を記憶してもよい。実施場所は、例えば、ドライバーが飲食した場所、ドライバーが宿泊した場所、又はドライバーが買い物した場所などであり、カーナビゲーション装置又は端末装置によって入力される。危険判定部１２２は、イベント検知位置情報の示すイベント検知位置が、実施場所から所定の範囲内に存在する位置であるか否かを判定してもよい。危険判定部１２２は、イベント検知位置が実施場所から所定の範囲内に存在する位置であると判定した場合、イベント検知位置が、ドライバーが複数回訪れたと推定される位置であると判定する。
【００８１】
ドライバー移動履歴記憶部１３２３は、ドライバーの移動履歴を記憶する。ドライバーの移動履歴は、ドライバーが所持する端末装置によって取得される。端末装置は、例えば、スマートフォン、タブレット型コンピュータ又はウェアラブルデバイスである。端末装置は、ＧＰＳ（Ｇｌｏｂａｌ  Ｐｏｓｉｔｉｏｎｉｎｇ  Ｓｙｓｔｅｍ）受信機などの位置測定部を備えており、端末装置の位置情報、すなわち端末装置を所持するドライバーの位置情報を測定する。端末装置は、ドライバーの位置情報を定期的に測定し、ドライバーの移動ルートをドライバーの移動履歴として管理装置１へ送信する。管理装置１の通信部１１は、端末装置から受信したドライバーの移動履歴をドライバー移動履歴記憶部１３２３に記憶する。ドライバー移動履歴記憶部１３２３は、ドライバーを識別するためのドライバー識別情報と、ドライバーの過去の移動ルートと、当該移動ルートをドライバーが移動した回数とを対応付けて記憶する。
【００８２】
なお、ドライバー移動履歴記憶部１３２３は、位置情報に付加されるドライバーモード情報に基づいて、ドライバーが車両に乗って移動した移動ルートと、車両から降りて移動した移動ルートとを区別して記憶してもよい。例えば、端末装置のドライバーモードがオンである状態で測定された位置情報は、ドライバーが車両で移動した移動ルートの情報として処理される。また、端末装置のドライバーモードがオフである状態で測定された位置情報は、ドライバーが徒歩で移動した移動ルートの情報として処理される。そして、ドライバーが車両で移動した移動ルートのみを用いて後述の危険判定部１２２の処理が行われてもよい。
【００８３】
危険判定部１２２は、ドライバーの移動履歴に基づいて、イベント検知位置情報の示すイベント検知位置が、ドライバーが過去に複数回数通過したことがある位置であるか否かを判定する。具体的には、危険判定部１２２は、移動回数が所定回数以上である移動ルートをドライバー移動履歴記憶部１３２３から抽出し、イベント検知位置情報の示すイベント検知位置が、抽出した移動ルート上に存在するか否かを判定する。危険判定部１２２は、イベント検知位置が、ドライバーが過去に複数回数通過したことがある位置であると判定した場合、イベント検知位置が、ドライバーが複数回訪れたと推定される位置であると判定する。
【００８４】
関係者情報記憶部１３３は、ドライバーの関係者に関する関係者情報を記憶する。ドライバーの関係者とは、例えば、ドライバーの友人、親族及び恋人などであり、ドライバーが頻繁に会う人物である。関係者情報は、関係者が住む場所として予め登録された居住場所を含む。カーナビゲーション装置又は端末装置は、ドライバーによる関係者の居住場所の入力を受け付ける。カーナビゲーション装置又は端末装置は、入力された居住場所を示す情報を管理装置１へ送信する。管理装置１の通信部１１は、カーナビゲーション装置又は端末装置から受信した居住場所を示す情報を関係者情報記憶部１３３に記憶する。関係者情報記憶部１３３は、ドライバーを識別するためのドライバー識別情報と、登録された関係者の居住場所とを対応付けて記憶する。
【００８５】
なお、関係者情報は、自動的に記憶されてもよい。具体的には、関係者情報は、カーナビゲーション装置等に登録された目的地情報から生成されてもよい。例えば、カーナビゲーション装置は登録されている目的情報を管理装置１へ送信する。関係者情報記憶部１３３は、目的地情報に目的地の属性として「友人宅」などの情報が含まれている場合、当該目的地情報に含まれる位置の位置情報をドライバー識別情報と対応付けて記憶する。
【００８６】
また、関係者情報は、ドライバーが有する端末装置に備えられる運転中における端末装置の機能を制限するモード（以下、ドライビングモードとも称する。）に基づいて生成されてもよい。例えば、関係者情報記憶部１３３は、端末装置から受信された位置情報からドライビングモードのオンとオフとが頻繁に（例えば所定回数以上）切り替わった位置の位置情報をドライバー識別情報と対応付けて記憶する。ドライビングモードが頻繁に切り替わる地点は、ドライバーがよく車両を乗り降りする地点すなわちよく訪れる地点であると推定されるためである。
【００８７】
危険判定部１２２は、イベント検知位置情報の示すイベント検知位置が、関係者の居住場所から所定の範囲内に存在する位置であるか否かを判定する。危険判定部１２２は、イベント検知位置が、関係者の居住場所から所定の範囲内に存在する位置であると判定した場合、イベント検知位置が、ドライバーが複数回訪れたと推定される位置であると判定する。
【００８８】
タグ付与制御部１２３は、イベント検知位置情報の示すイベント検知位置が、ドライバーが複数回訪れたと推定される位置であると判定された場合、撮影画像の記録を制御する。タグ付与制御部１２３は、イベント検知位置情報の示すイベント検知位置が、ドライバーが複数回訪れたと推定される位置であると判定された場合、通信部１１を介して、所定のイベントの発生が検知された時点を含む所定期間の撮影データが危険な状況が映る撮影データであることを示すタグ情報をイベント録画情報に付与するように指示するタグ付与指示情報を撮影装置２へ送信する。
【００８９】
図３は、本実施の形態１において、イベント録画情報について説明するための模式図である。イベント録画情報は、所定のイベントの発生が検知された時点から所定時間前までの第１の期間と、所定のイベントの発生が検知された時点から所定時間後までの第２の期間とを含む第３の期間７Ａの撮影データを含む。なお、第１の期間は、例えば１０秒であり、第２の期間は、例えば５秒であり、第３の期間は、第１の期間と第２の期間とを合わせた１５秒である。第１の期間及び第２の期間の長さは一例であり、上記に限定されない。
【００９０】
他装置情報記憶部１３４は、撮影装置２などの他装置に関する他装置情報を記憶する。他装置情報は、例えば、撮影装置２を識別する識別情報を含む。
【００９１】
次に、撮影装置２の構成について、詳細に説明する。
【００９２】
図４は、本実施の形態１における撮影装置の構成を示すブロック図である。
【００９３】
撮影装置２は、通信部２１、撮影部２２、位置測定部２３、時間測定部２４、イベント検知部２５、制御部２６及び記憶部２７を備える。
【００９４】
通信部２１は、無線を用いて、無線基地局及びＷＡＮ（Ｗｉｄｅ  Ａｒｅａ  Ｎｅｔｗｏｒｋ）又はインターネットなどの通信ネットワーク５を介して、管理装置１と通信を行い、管理装置１と情報を送受信する。なお、通信部２１は、管理装置１と情報を送受信することができれば、この構成に限定されない。例えば、通信部２１は、ドライバーの有するスマートフォンなどの他の装置を中継して管理装置１と通信を行い、管理装置１と情報を送受信してもよい。
【００９５】
撮影部２２は、カメラであり、車両に搭載されており、車両又は車両の周囲などを撮影する。撮影部２２は、定期的に（例えば、３０ミリ秒に１度）、撮影した撮影データを撮影情報記憶部２７３に記憶する。
【００９６】
位置測定部２３は、例えば、ＧＰＳ受信機であり、撮影装置２の位置情報、すなわち車両の位置情報を測定する。位置測定部２３で測定される位置情報は、例えば、イベント検知部２５により所定のイベントが検知された時点の撮影装置２の位置情報として利用される。イベント検知部２５により所定のイベントが検知された時点の撮影装置２の位置情報は、イベント検知位置情報としてイベント検知情報に付与される。
【００９７】
時間測定部２４は、例えば、時計であり、現在時刻を測定する。時間測定部２４で測定される時刻情報は、例えば、イベント検知部２５により所定のイベントが検知された時点の時刻情報として利用される。イベント検知部２５により所定のイベントが検知された時点の時刻情報は、イベント検知時刻情報としてイベント録画情報に付与される。
【００９８】
イベント検知部２５は、所定のイベントの発生を検知する。所定のイベントは、ドライバー又は車両の管理者などによって、予め設定されるものである。ドライバーが急ブレーキを踏む行為により発生する加速度が閾値を超えるというイベントの例の場合、イベント検知部２５は、加速度が閾値を超えたことを検知する。
【００９９】
また、別の例として、ドライバーが急にハンドルをきる行為により発生する操舵角の変化量が閾値を超えるというイベントの例の場合、イベント検知部２５は、操舵角の変化量が閾値を超えたことを検知する。また、別の例として、ドライバーがアクセルからブレーキに素早く踏みかえる行為により発生する、アクセルを離してからブレーキを踏み込むまでの時間が閾値を下回るというイベントの例の場合、イベント検知部２５は、アクセルを離してからブレーキを踏み込むまでの時間が閾値を下回ることを検知する。
【０１００】
記憶部２７は、例えば、半導体メモリであり、自装置情報記憶部２７１、他装置情報記憶部２７２、撮影情報記憶部２７３及びイベント録画情報記憶部２７４を備える。
【０１０１】
自装置情報記憶部２７１は、撮影装置２に関する情報を示す自装置情報を記憶する。自装置情報は、少なくとも撮影装置２を識別する識別情報を含む。この識別情報は、撮影装置２から管理装置１に対して情報を送信する際の送信情報に付加される。例えば、撮影装置２から管理装置１にイベント検知情報が送信される際に、通信部２１は、識別情報をイベント検知情報に付加して、識別情報が付加されたイベント検知情報を送信する。これにより、管理装置１は、どの撮影装置２からイベント検知情報が送信されたのかを認識することが可能となる。
【０１０２】
他装置情報記憶部２７２は、他の装置に関する情報を示す他装置情報を記憶する。他装置情報は、少なくとも管理装置１のアドレス情報を含む。撮影装置２は、管理装置１に対して情報を送信する際に、他装置情報に含まれるアドレス情報を用いる。
【０１０３】
撮影情報記憶部２７３は、撮影部２２により、定期的に（例えば、３０ミリ秒に１度）撮影された撮影データを記憶する。
【０１０４】
イベント録画情報記憶部２７４は、イベント録画情報記録制御部２６１により、イベントの発生が検知された時点の前後の所定期間の撮影データに、イベント検知位置情報と、イベント検知時刻情報とを付加したイベント録画情報を記憶する。
【０１０５】
制御部２６は、例えばＣＰＵであり、イベント録画情報記録制御部２６１、イベント検知情報送信制御部２６２、タグ付与指示情報受信制御部２６３及びタグ付与部２６４を備える。
【０１０６】
イベント録画情報記録制御部２６１は、イベント検知部２５により所定のイベントの発生が検知されると、位置測定部２３から撮影装置２の位置情報を取得するとともに、時間測定部２４から現在時刻を取得する。次に、イベント録画情報記録制御部２６１は、イベントの発生が検知された時点の前後の所定期間の撮影データを撮影情報記憶部２７３から抽出する。そして、イベント録画情報記録制御部２６１は、取得した位置情報及び時刻情報を、それぞれイベント検知位置情報及びイベント検知時刻情報として含むとともに、抽出した撮影データを含むイベント録画情報を生成し、生成したイベント録画情報をイベント録画情報記憶部２７４に記憶する。
【０１０７】
イベント検知情報送信制御部２６２は、通信部２１を介して、イベント検知部２５により所定のイベントの発生が検知された時点の車両４の位置を示す位置情報を含むイベント検知情報を管理装置１に送信する。イベント検知情報送信制御部２６２は、イベント検知部２５により所定のイベントの発生が検知されると、位置測定部２３から撮影装置２の位置情報を取得する。そして、イベント検知情報送信制御部２６２は、取得した位置情報をイベント検知位置情報として含むイベント検知情報を生成し、生成したイベント検知情報を管理装置１に送信する。
【０１０８】
イベント検知情報送信制御部２６２が、イベント検知情報を管理装置１に送信するタイミングは、任意のタイミングであってよい。例えば、イベント検知情報送信制御部２６２は、イベント録画情報記憶部２７４にイベント録画情報が記憶されたタイミングで、管理装置１にイベント検知情報を送信してもよい。この場合、イベント検知情報送信制御部２６２は、リアルタイムに近いタイミングで、管理装置１に対してイベント検知情報を送信することができるので、管理装置１は、イベント録画情報が危険な状況が映る撮影データを含むか否かを判定することができる。
【０１０９】
なお、イベント検知情報を管理装置１に送信するタイミングの別の例としては、ドライバーの送信指示入力を受信した場合であってもよく、定期的であってもよい。
【０１１０】
タグ付与指示情報受信制御部２６３は、管理装置１によって送信されたタグ付与指示情報を受信する。
【０１１１】
タグ付与部２６４は、撮影データが危険な状況を映していることを示すタグ情報をイベント録画情報に付与する。すなわち、撮影画像を分類して記録することは、イベント検知位置情報の示す位置が、運転者が複数回訪れたと推定される位置であると判定された場合に、運転者が複数回訪れたと推定される位置であることを示すタグを撮影画像に付与して記録することを含む。
【０１１２】
なお、撮影装置２は、位置測定部２３によって測定された位置と、時間測定部２４から現在時刻とを含む移動履歴情報を管理装置１へ送信する。管理装置１は、撮影装置２から受信した移動履歴情報を走行ルート情報記憶部１３２１に記憶する。
【０１１３】
＜管理装置１の処理＞
次に、管理装置１が、撮影装置２から取得したイベント検知情報を用いて、所定のイベントの発生が検知された時点の車両の位置が、ドライバーが複数回訪れたと推定される位置であるか否かを判定し、その判定結果に基づき、イベント録画情報にタグ情報を付与する処理について、図５のフローチャートを用いて、詳細に説明する。
【０１１４】
図５は、本実施の形態１における管理装置の処理を説明するための第１のフローチャートであり、図６は、本実施の形態１における管理装置の処理を説明するための第２のフローチャートである。
【０１１５】
まず、管理装置１のイベント検知情報取得部１２１は、撮影装置２からイベント検知情報を取得する（ステップＳ１１）。具体的には、イベント検知情報取得部１２１は、通信部１１を介して、撮影装置２から、車両４に設置された撮影装置２の撮影により得られる撮像画像の記録のトリガとなる所定のイベントの発生が検知された時点の車両４のイベント検知位置を示すイベント検知位置情報を含むイベント検知情報を取得する。
【０１１６】
次に、危険判定部１２２は、イベント検知情報取得部１２１によって取得されたイベント検知情報からイベント検知位置情報を抽出する（ステップＳ１２）。
【０１１７】
次に、危険判定部１２２は、走行回数が所定回数以上である車両４の走行ルートを走行ルート情報記憶部１３２１から抽出する（ステップＳ１３）。
【０１１８】
次に、危険判定部１２２は、イベント検知位置情報の示すイベント検知位置が、抽出した車両４の走行ルート上に存在するか否かを判定する（ステップＳ１４）。ここで、イベント検知位置が車両４の走行ルート上に存在すると判定された場合（ステップＳ１４でＹＥＳ）、ステップＳ２１へ処理が移行する。
【０１１９】
図７は、本実施の形態１において、イベント検知位置が車両の走行ルート上に存在するか否かを判定する処理について説明するための模式図である。
【０１２０】
図７において、車両４が走行ルート１０１を走行中に所定のイベントが発生した場合、イベント検知情報取得部１２１は、車両４に設置された撮影装置２の撮影により得られる撮像画像の記録のトリガとなる所定のイベントの発生が検知された時点の車両４のイベント検知位置１０２を示すイベント検知位置情報を含むイベント検知情報を取得する。
【０１２１】
続いて、危険判定部１２２は、過去の複数の走行ルート１１１，１１２，１１３の中から、走行回数が所定回数以上である車両４の走行ルート１１３を走行ルート情報記憶部１３２１から抽出する。図７では、走行ルート１１３が、走行回数が所定回数以上である走行ルートとして抽出される。
【０１２２】
そして、危険判定部１２２は、イベント検知位置１０２が、抽出した車両４の走行ルート１１３上に存在するか否かを判定する。図７では、危険判定部１２２は、イベント検知位置１０２が、抽出した車両４の走行ルート１１３上に存在すると判定される。
【０１２３】
一方、イベント検知位置が車両４の走行ルート上に存在しないと判定された場合（ステップＳ１４でＮＯ）、危険判定部１２２は、カーナビゲーション装置に予め登録された登録ルートを登録情報記憶部１３２２から抽出する（ステップＳ１５）。
【０１２４】
次に、危険判定部１２２は、イベント検知位置情報の示すイベント検知位置が、登録された登録ルート上に存在するか否かを判断する（ステップＳ１６）。ここで、イベント検知位置が登録ルート上に存在すると判定された場合（ステップＳ１６でＹＥＳ）、ステップＳ２１へ処理が移行する。
【０１２５】
一方、イベント検知位置が登録ルート上に存在しないと判定された場合（ステップＳ１６でＮＯ）、危険判定部１２２は、移動回数が所定回数以上であるドライバーの移動ルートをドライバー移動履歴記憶部１３２３から抽出する（ステップＳ１７）。ドライバーの移動ルートは、ドライバーが車両４とは異なる移動体で移動したり、徒歩で移動したりした場合の移動ルートを示す。
【０１２６】
次に、危険判定部１２２は、イベント検知位置情報の示すイベント検知位置が、抽出したドライバーの移動ルート上に存在するか否かを判定する（ステップＳ１８）。ここで、イベント検知位置がドライバーの移動ルート上に存在すると判定された場合（ステップＳ１８でＹＥＳ）、ステップＳ２１へ処理が移行する。
【０１２７】
一方、イベント検知位置がドライバーの移動ルート上に存在しないと判定された場合（ステップＳ１８でＮＯ）、危険判定部１２２は、ドライバーの関係者が住む場所として予め登録された居住場所を関係者情報記憶部１３３から抽出する（ステップＳ１９）。なお、抽出される居住場所は、１つとは限らない。ドライバーの複数の関係者に対応する複数の居住場所が抽出されてもよい。
【０１２８】
次に、危険判定部１２２は、イベント検知位置情報の示すイベント検知位置が、ドライバーの関係者の居住場所から所定の範囲内に存在するか否かを判定する（ステップＳ２０）。ここで、イベント検知位置が、ドライバーの関係者の居住場所から所定の範囲内に存在しないと判定された場合（ステップＳ２０でＮＯ）、イベント検知位置はドライバーが頻繁に通る位置ではないので、処理が終了する。
【０１２９】
一方、イベント検知位置が車両４の走行ルート上に存在すると判定された場合（ステップＳ１４でＹＥＳ）、イベント検知位置が登録ルート上に存在すると判定された場合（ステップＳ１６でＹＥＳ）、イベント検知位置がドライバーの移動ルート上に存在すると判定された場合（ステップＳ１８でＹＥＳ）、又はイベント検知位置が、ドライバーの関係者の居住場所から所定の範囲内に存在すると判定された場合（ステップＳ２０でＹＥＳ）、タグ付与制御部１２３は、通信部１１を介して、所定のイベントの発生が検知された時点を含む所定期間の撮影データが危険な状況が映る撮影データであることを示すタグ情報をイベント録画情報に付与するように指示するタグ付与指示情報を撮影装置２へ送信する（ステップＳ２１）。
【０１３０】
なお、本実施の形態１では、危険判定部１２２は、イベント検知位置が、抽出した車両４の走行ルート上に存在するか否かを判定する第１の判定処理、イベント検知位置が、登録された登録ルート上に存在するか否かを判断する第２の判定処理、イベント検知位置が、抽出したドライバーの移動ルート上に存在するか否かを判定する第３の判定処理、及びイベント検知位置が、ドライバーの関係者の居住場所から所定の範囲内に存在するか否かを判定する第４の判定処理を行っているが、本開示は特にこれに限定されず、危険判定部１２２は、第１の判定処理、第２の判定処理、第３の判定処理及び第４の判定処理のいずれかのみを行ってもよい。また、危険判定部１２２は、第１の判定処理、第２の判定処理、第３の判定処理及び第４の判定処理のうちの少なくとも２つを行ってもよい。
【０１３１】
＜撮影装置２の処理＞
次に、撮影装置２が、所定のイベントの発生が検知された時点の車両４のイベント検知位置を示すイベント検知位置情報を含むイベント検知情報を管理装置１に送信するとともに、所定のイベントの発生が検知された時点を含む所定期間の撮影データが危険な状況が映る撮影データであることを示すタグ情報をイベント録画情報に付与する処理について、図８のフローチャートを用いて、詳細に説明する。
【０１３２】
図８は、本実施の形態１における撮影装置の処理を説明するためのフローチャートである。
【０１３３】
まず、撮影装置２の撮影部２２は、車両のエンジンがオンされたことをトリガに、撮影を開始する（ステップＳ３１）。なお、撮影部２２での撮影の開始のトリガは、本構成に限定されない。例えば、撮影部２２は、ドライバーによる入力操作により、撮影を開始してもよい。撮影部２２は、定期的に（例えば、３０ミリ秒に１度）撮影された撮影データを撮影情報記憶部２７３に記憶する。
【０１３４】
次に、イベント検知部２５は、撮影部２２による撮影中に、所定のイベントの発生を検知したか否かを判定する（ステップＳ３２）。
【０１３５】
ステップＳ３２において、イベント検知部２５により、所定のイベントの発生を検知していないと判定された場合（ステップＳ３２でＮＯ）、ステップＳ３１に処理が戻り、撮影部２２は、撮影を継続する。
【０１３６】
一方、ステップＳ３２において、イベント検知部２５により、所定のイベントの発生を検知したと判定された場合（ステップＳ３２でＹＥＳ）、位置測定部２３は、撮影装置２の現在位置を測定する（ステップＳ３３）。
【０１３７】
次に、時間測定部２４は、現在時刻を測定する（ステップＳ３４）。
【０１３８】
次に、イベント録画情報記録制御部２６１は、イベントの発生が検知された時点の前後の所定期間の撮影データを撮影情報記憶部２７３から抽出する（ステップＳ３５）。
【０１３９】
次に、イベント録画情報記録制御部２６１は、抽出した所定期間の撮影データと、ステップＳ３３で測定したイベントの発生が検知された時点の位置を示すイベント検知位置情報と、ステップＳ３４で測定した現在時刻を示すイベント検知時刻情報とを含むイベント録画情報を生成して、イベント録画情報記憶部２７４に記憶する（ステップＳ３６）。
【０１４０】
次に、イベント検知情報送信制御部２６２は、通信部２１を介して、ステップＳ３３で測定したイベントの発生が検知された時点の車両４の位置を示すイベント検知位置情報を含むイベント検知情報を管理装置１に送信する（ステップＳ３７）。
【０１４１】
なお、イベント検知情報送信制御部２６２がイベント検知情報を管理装置１に送信するタイミングは、任意のタイミングでよい。例えば、イベント検知情報送信制御部２６２は、イベント録画情報がイベント録画情報記憶部２７４に記録されたタイミングで、イベント検知情報を管理装置１に送信してもよい。この場合、イベント検知情報送信制御部２６２は、リアルタイムに近いタイミングで、イベント検知情報を管理装置１に送信し、イベント録画情報が危険な状況が映る撮影データを含むか否かを判定することができる。
【０１４２】
また、イベント検知情報を管理装置１に送信するタイミングの別の例としては、イベント録画情報の数が所定数を超えたタイミング、ドライバーの送信指示入力を受け付けたタイミング、又は管理装置１から送信依頼を受信したタイミングであってもよい。
【０１４３】
次に、タグ付与指示情報受信制御部２６３は、管理装置１によって送信されたタグ付与指示情報を受信したか否かを判定する（ステップＳ３８）。ここで、タグ付与指示情報を受信していないと判定された場合（ステップＳ３８でＮＯ）、ステップＳ４０の処理へ移行する。
【０１４４】
一方、タグ付与指示情報を受信したと判定された場合（ステップＳ３８でＹＥＳ）、タグ付与部２６４は、撮影データが危険な状況を映していることを示すタグ情報をイベント録画情報に付与する。この結果、イベント録画情報は、所定期間の撮影データと、イベント検知位置情報と、イベント検知時刻情報と、タグ情報とを含むことになる。これにより、例えば、イベント録画情報の内容を確認して、危険な状況が映る撮影データを含むイベント録画情報を抽出する管理者は、タグ情報を確認することにより、危険な状況が映る撮影データ、又は、危険である可能性が高い状況が映る撮影データを含むイベント録画情報のみを抽出することができるため、作業の効率化をはかることができる。
【０１４５】
なお、本実施の形態１では、撮影装置２は、イベント検知情報を管理装置１へ送信しているが、本開示は特にこれに限定されず、撮影装置２は、所定期間の撮影データと、イベント検知位置情報と、イベント検知時刻情報とを含むイベント録画情報を管理装置１へ送信してもよい。この場合、管理装置１は、イベント録画情報を取得し、イベント録画情報を記憶部１３に記憶し、イベント録画情報からイベント検知位置情報を抽出する。そして、管理装置１は、図５及び図６のステップＳ１３〜ステップＳ２０の処理を行う。イベント検知位置が車両４の走行ルート上に存在すると判定された場合（ステップＳ１４でＹＥＳ）、イベント検知位置が登録ルート上に存在すると判定された場合（ステップＳ１６でＹＥＳ）、イベント検知位置がドライバーの移動ルート上に存在すると判定された場合（ステップＳ１８でＹＥＳ）、又はイベント検知位置が、ドライバーの関係者の居住場所から所定の範囲内に存在すると判定された場合（ステップＳ２０でＹＥＳ）、タグ付与制御部１２３は、所定のイベントの発生が検知された時点を含む所定期間の撮影データが危険な状況が映る撮影データであることを示すタグ情報をイベント録画情報に付与する。
【０１４６】
また、本実施の形態１では、図６のステップＳ２０において、イベント検知位置が、ドライバーの関係者の居住場所から所定の範囲内に存在しないと判定された場合、処理が終了しているが、本開示は特にこれに限定されず、イベント検知位置が、ドライバーの関係者の居住場所から所定の範囲内に存在しないと判定された場合、タグ付与制御部１２３は、所定のイベントの発生が検知された時点を含む所定期間の撮影データが危険な状況が映る撮影データではないことを示すタグ情報をイベント録画情報に付与するように指示するタグ付与指示情報を撮影装置２へ送信してもよい。すなわち、撮影画像を分類して記録することは、イベント検知位置情報の示す位置が、運転者が複数回訪れたと推定される位置であると判定されなかった場合に、運転者が複数回訪れたと推定される位置でないことを示すタグを撮影画像に付与して記録することを含んでもよい。
【０１４７】
また、イベント検知位置が、ドライバーの関係者の居住場所から所定の範囲内に存在しないと判定された場合、管理装置１は、所定のイベントの発生が検知された時点を含む所定期間の撮影データが危険な状況が映る撮影データではないことを示す情報を撮影装置２へ送信し、当該情報を受信した撮影装置２は、対応するイベント録画情報を削除してもよい。
【０１４８】
（実施の形態２）
実施の形態１では、危険判定部１２２は、イベント検知位置が、抽出した車両４の走行ルート上に存在するか否かを判定する第１の判定処理、イベント検知位置が、登録された登録ルート上に存在するか否かを判断する第２の判定処理、イベント検知位置が、抽出したドライバーの移動ルート上に存在するか否かを判定する第３の判定処理、及びイベント検知位置が、ドライバーの関係者の居住場所から所定の範囲内に存在するか否かを判定する第４の判定処理を行っている。これに対し、実施の形態２では、第１の判定処理、第２の判定処理、第３の判定処理及び第４の判定処理のうちの少なくとも１つの判定結果に応じて、行われた判定処理毎に撮影画像を分類して記憶する。
【０１４９】
すなわち、第１の判定処理は、イベント検知位置が、ドライバーが複数回訪れたと推定される位置であるか否かを最も高い精度で判定することができ、第２の判定処理は、イベント検知位置が、ドライバーが複数回訪れたと推定される位置であるか否かを２番目に高い精度で判定することができ、第３の判定処理は、イベント検知位置が、ドライバーが複数回訪れたと推定される位置であるか否かを３番目に高い精度で判定することができ、第４の判定処理は、イベント検知位置が、ドライバーが複数回訪れたと推定される位置であるか否かを４番目に高い精度で判定することができる。
【０１５０】
そのため、管理者は、第１の判定処理、第２の判定処理、第３の判定処理及び第４の判定処理のうちのいずれの判定処理で肯定的な結果が得られたかを確認することにより、危険な状況が映る撮影画像を効率よく抽出することができる。すなわち、第１の判定処理で肯定的な結果が得られた撮影画像は、危険な状況が映る撮影画像である可能性が高く、管理者は、第１の判定処理で肯定的な結果が得られた撮影画像を優先的に確認することで、危険な状況が映る撮影画像を抽出する作業効率を向上させることができる。
【０１５１】
図９は、本実施の形態２における管理装置の構成を示すブロック図である。なお、本実施の形態２の管理装置１Ａにおいて、実施の形態１の管理装置１と同じ構成については同じ符号を付し、説明を省略する。
【０１５２】
管理装置１Ａは、通信部１１、制御部１２Ａ及び記憶部１３を備える。制御部１２Ａは、例えばＣＰＵであり、イベント検知情報取得部１２１、危険判定部１２２及びタグ付与制御部１２３Ａを備える。
【０１５３】
タグ付与制御部１２３Ａは、第１の判定処理、第２の判定処理、第３の判定処理及び第４の判定処理のうちの肯定的に判定された判定処理を特定し、判定処理毎に撮影画像を分類して記録する。
【０１５４】
タグ付与制御部１２３Ａは、イベント検知位置情報の示すイベント検知位置が、ドライバーが複数回訪れたと推定される位置であると判定された場合、通信部１１を介して、所定のイベントの発生が検知された時点を含む所定期間の撮影データが危険な状況が映る撮影データであることを示すタグ情報をイベント録画情報に付与するように指示するタグ付与指示情報を撮影装置２Ａへ送信する。このとき、タグ付与制御部１２３Ａは、イベント検知位置が、抽出した車両４の走行ルート上に存在するか否かを判定する第１の判定処理、イベント検知位置が、登録された登録ルート上に存在するか否かを判断する第２の判定処理、イベント検知位置が、抽出したドライバーの移動ルート上に存在するか否かを判定する第３の判定処理、及びイベント検知位置が、ドライバーの関係者の居住場所から所定の範囲内に存在するか否かを判定する第４の判定処理のうちの肯定的に判定された判定処理を特定し、特定した判定処理を識別するための判定処理識別情報を含むタグ付与指示情報を生成する。
【０１５５】
図１０は、本実施の形態２における撮影装置の構成を示すブロック図である。
【０１５６】
撮影装置２Ａは、通信部２１、撮影部２２、位置測定部２３、時間測定部２４、イベント検知部２５、制御部２６Ａ及び記憶部２７を備える。制御部２６Ａは、例えばＣＰＵであり、イベント録画情報記録制御部２６１、イベント検知情報送信制御部２６２、タグ付与指示情報受信制御部２６３、タグ付与部２６４及び分類制御部２６５を備える。
【０１５７】
分類制御部２６５は、タグ付与指示情報受信制御部２６３によって受信されたタグ付与指示情報に含まれる判定処理識別情報を参照し、第１の判定処理、第２の判定処理、第３の判定処理及び第４の判定処理の判定処理毎にイベント録画情報を分類する。すなわち、分類制御部２６５は、第１の判定処理で肯定的に判定された場合、第１のグループに分類し、第２の判定処理で肯定的に判定された場合、第２のグループに分類し、第３の判定処理で肯定的に判定された場合、第３のグループに分類し、第４の判定処理で肯定的に判定された場合、第４のグループに分類し、イベント録画情報記憶部２７４に記憶する。
【０１５８】
本実施の形態２における管理装置１Ａの処理は、図５及び図６に示す実施の形態１における管理装置１の処理とほぼ同じであり、ステップＳ２１の処理のみが異なる。
【０１５９】
すなわち、本実施の形態２では、イベント検知位置が車両４の走行ルート上に存在すると判定された場合（ステップＳ１４でＹＥＳ）、ステップＳ２１において、タグ付与制御部１２３は、通信部１１を介して、肯定的に判定された判定処理が第１の判定処理であることを識別するための判定処理識別情報を含むタグ付与指示情報を撮影装置２Ａへ送信する。
【０１６０】
また、イベント検知位置が登録ルート上に存在すると判定された場合（ステップＳ１６でＹＥＳ）、ステップＳ２１において、タグ付与制御部１２３は、通信部１１を介して、肯定的に判定された判定処理が第２の判定処理であることを識別するための判定処理識別情報を含むタグ付与指示情報を撮影装置２Ａへ送信する。
【０１６１】
また、イベント検知位置がドライバーの移動ルート上に存在すると判定された場合（ステップＳ１８でＹＥＳ）、ステップＳ２１において、タグ付与制御部１２３は、通信部１１を介して、肯定的に判定された判定処理が第３の判定処理であることを識別するための判定処理識別情報を含むタグ付与指示情報を撮影装置２Ａへ送信する。
【０１６２】
さらに、イベント検知位置が、ドライバーの関係者の居住場所から所定の範囲内に存在すると判定された場合（ステップＳ２０でＹＥＳ）、ステップＳ２１において、タグ付与制御部１２３は、通信部１１を介して、肯定的に判定された判定処理が第４の判定処理であることを識別するための判定処理識別情報を含むタグ付与指示情報を撮影装置２Ａへ送信する。
【０１６３】
図１１は、本実施の形態２における撮影装置の処理を説明するためのフローチャートである。
【０１６４】
なお、図１１に示すステップＳ５１〜ステップＳ５９の処理は、図８に示すステップＳ３１〜ステップＳ３９の処理と同じであるので、説明を省略する。
【０１６５】
次に、分類制御部２６５は、タグ付与指示情報受信制御部２６３によって受信されたタグ付与指示情報に含まれる判定処理識別情報を参照し、第１の判定処理、第２の判定処理、第３の判定処理及び第４の判定処理の判定処理毎にイベント録画情報を分類する（ステップＳ６０）。すなわち、分類制御部２６５は、第１の判定処理で肯定的に判定された場合、第１のグループに分類し、第２の判定処理で肯定的に判定された場合、第２のグループに分類し、第３の判定処理で肯定的に判定された場合、第３のグループに分類し、第４の判定処理で肯定的に判定された場合、第４のグループに分類し、イベント録画情報記憶部２７４に記憶する。
【０１６６】
図１１に示すステップＳ６１の処理は、図８に示すステップＳ４０の処理と同じであるので、説明を省略する。
【０１６７】
図１２は、本実施の形態２において、イベント録画情報を第１のグループ又は第４のグループに分類する処理について説明するための模式図である。
【０１６８】
図１２において、車両４が走行ルート１０１を走行中に所定のイベントが発生した場合、イベント検知情報取得部１２１は、車両４に設置された撮影装置２Ａの撮影により得られる撮像画像の記録のトリガとなる所定のイベントの発生が検知された時点の車両４のイベント検知位置１０２を示すイベント検知位置情報を含むイベント検知情報を取得する。
【０１６９】
続いて、危険判定部１２２は、過去の複数の走行ルート１１１，１１２，１１３の中から、走行回数が所定回数以上である車両４の走行ルート１１３を走行ルート情報記憶部１３２１から抽出する。図１２では、走行ルート１１３が、走行回数が所定回数以上である走行ルートとして抽出される。
【０１７０】
そして、危険判定部１２２は、イベント検知位置１０２が、抽出した車両４の走行ルート１１３上に存在するか否かを判定する第１の判定処理を行う。図１２では、危険判定部１２２は、イベント検知位置１０２が、抽出した車両４の走行ルート１１３上に存在すると判定される。この場合、タグ付与制御部１２３は、通信部１１を介して、肯定的に判定された判定処理が第１の判定処理であることを識別するための判定処理識別情報を含むタグ付与指示情報を撮影装置２Ａへ送信する。撮影装置２Ａの分類制御部２６５は、タグ付与指示情報受信制御部２６３によって受信されたタグ付与指示情報に含まれる判定処理識別情報を参照し、イベント録画情報を第１のグループに分類し、イベント録画情報記憶部２７４に記憶する。
【０１７１】
一方、第１の判定処理、第２の判定処理及び第３の判定処理で否定的な判定結果が得られた場合、危険判定部１２２は、ドライバーの関係者が住む場所として予め登録された居住場所１４１を関係者情報記憶部１３３から抽出する。そして、危険判定部１２２は、イベント検知位置１０２が、ドライバーの関係者の居住場所１４１から所定の範囲１４２内に存在するか否かを判定する第４の処理を行う。図１２では、危険判定部１２２は、イベント検知位置１０２が、ドライバーの関係者の居住場所１４１から所定の範囲１４２内に存在するすると判定される。この場合、タグ付与制御部１２３は、通信部１１を介して、肯定的に判定された判定処理が第４の判定処理であることを識別するための判定処理識別情報を含むタグ付与指示情報を撮影装置２Ａへ送信する。撮影装置２Ａの分類制御部２６５は、タグ付与指示情報受信制御部２６３によって受信されたタグ付与指示情報に含まれる判定処理識別情報を参照し、イベント録画情報を第４のグループに分類し、イベント録画情報記憶部２７４に記憶する。
【０１７２】
なお、本実施の形態２では、移動体の移動履歴に基づいて、イベント検知位置情報の示すイベント検知位置が、移動体が過去に複数回数通過したことがある位置であるか否かを判定する第１の判定処理、イベント検知位置情報の示すイベント検知位置が、移動体に予め登録されているルート上に存在する位置であるか否か、又はイベント検知位置情報の示すイベント検知位置が、移動体に予め登録されている目的地から所定の範囲内に存在する位置であるか否かを判定する第２の判定処理、運転者の移動履歴に基づいて、イベント検知位置情報の示すイベント検知位置が、運転者が過去に複数回数通過したことがある位置であるか否かを判定する第３の判定処理、イベント検知位置情報の示すイベント検知位置が、関係者が住む場所として予め登録された居住場所から所定の範囲内に存在する位置であるか否かを判定する第４の判定処理が行われる。しかし、本開示は特にこれに限定されず、イベント検知位置情報の示すイベント検知位置が、ドライバーが特定の行動を実施した場所として予め登録された実施場所から所定の範囲内に存在する位置であるか否かを判定する第５の判定処理が行われてもよい。この場合、危険判定部１２２は、第１の判定処理、第２の判定処理、第３の判定処理、第４の判定処理及び第５の判定処理の少なくとも１つを行う。そして、タグ付与制御部１２３Ａは、第１の判定処理、第２の判定処理、第３の判定処理、第４の判定処理及び第５の判定処理のうちの肯定的に判定された判定処理を特定し、判定処理毎に撮影画像を分類して記録してもよい。
【０１７３】
また、実施の形態２における撮影画像の分類は、実施の形態１におけるタグ付与で実現されてもよい。例えば、各判定処理にそれぞれ対応する分類情報がタグに付与され、タグに付与された分類情報を参照することにより撮影画像が区別されてよい。
【０１７４】
（実施の形態３）
実施の形態１では、危険判定部１２２は、イベント検知位置が、車両４が過去に複数回数通過したことがある位置であるか否かを判定している。これに対し、実施の形態３では、管理装置は、所定のイベントの発生が検知された時刻を示す時間情報を取得し、イベント検知位置が、車両４が過去に複数回数通過したことがある位置であると判定された場合、時間情報の示す時刻が、イベント検知位置を車両４が過去に通過した際の移動時刻により特定される通過時間帯に含まれるか否かを判定する。
【０１７５】
すなわち、イベント検知位置が、車両４が過去に複数回数通過したことがある位置であり、かつ、イベントの発生が検知された時刻が、イベント検知位置を車両４が過去に通過した際の移動時刻により特定される通過時間帯に含まれる場合、発生したイベントは、危険な状況に起因して発生した可能性が高い。そのため、危険な状況が映る撮影画像を抽出する精度をより高くすることができる。
【０１７６】
図１３は、本実施の形態３における管理装置の構成を示すブロック図である。なお、本実施の形態３の管理装置１Ｂにおいて、実施の形態１の管理装置１と同じ構成については同じ符号を付し、説明を省略する。
【０１７７】
管理装置１Ｂは、通信部１１、制御部１２Ｂ及び記憶部１３Ｂを備える。制御部１２Ｂは、例えばＣＰＵであり、イベント検知情報取得部１２１、危険判定部１２２、タグ付与制御部１２３及び時刻判定部１２４を備える。
【０１７８】
記憶部１３Ｂは、イベント検知情報記憶部１３１、行動履歴情報記憶部１３２Ｂ及び他装置情報記憶部１３４を備える。行動履歴情報記憶部１３２Ｂは、走行ルート情報記憶部１３２１を備える。
【０１７９】
イベント検知情報取得部１２１は、通信部１１を介して、撮影装置２Ｂによって送信されたイベント検知情報を取得する。本実施の形態３におけるイベント検知情報は、車両４に設置された撮影装置２Ｂの撮影により得られる撮像画像の記録のトリガとなる所定のイベントの発生が検知された時点の車両４の位置を示すイベント検知位置情報と、所定のイベントの発生が検知された時刻を示すイベント検知時刻情報と、所定のイベントを識別するためのイベント識別情報とを含む。
【０１８０】
時刻判定部１２４は、危険判定部１２２によってイベント検知位置情報の示すイベント検知位置が、車両４が過去に複数回数通過したことがある位置であると判定された場合、イベント検知時刻情報の示すイベント検知時刻が、イベント検知位置を車両４が過去に通過した際の移動時刻により特定される通過時間帯に含まれるか否かを判定する。なお、走行ルート情報記憶部１３２１は、車両４の過去の移動時刻を記憶しており、例えば、過去の走行ルート上の所定の位置の通過時刻を記憶している。
【０１８１】
時刻判定部１２４は、例えば、イベント検知位置を通過する走行回数が所定回数以上である走行ルートが、イベント検知位置を通過する平均時刻を算出し、平均時刻の前後に対して所定の時間を加えた期間を通過時間帯として算出してもよい。例えば、イベント検知位置を通過する平均時刻が午前８時であった場合、時刻判定部１２４は、平均時刻である午前８時の前後に対して３０分を加えた午前７時３０分から午前８時３０分までの期間を通過時間帯としてもよい。なお、通過時間帯については上記に限定されず、車両４が、イベント検知時刻と略同じ時刻にイベント検知位置を過去に通過したか否かを判定可能な時間帯であればよい。
【０１８２】
タグ付与制御部１２３は、イベント検知時刻が、イベント検知位置を車両４が過去に通過した際の移動時刻により特定される通過時間帯に含まれると判定された場合、通信部１１を介して、所定のイベントの発生が検知された時点を含む所定期間の撮影データが危険な状況が映る撮影データであることを示すタグ情報をイベント録画情報に付与するように指示するタグ付与指示情報を撮影装置２Ｂへ送信する。
【０１８３】
図１４は、本実施の形態３における撮影装置の構成を示すブロック図である。なお、本実施の形態３の撮影装置２Ｂにおいて、実施の形態１の撮影装置２と同じ構成については同じ符号を付し、説明を省略する。
【０１８４】
撮影装置２Ｂは、通信部２１、撮影部２２、位置測定部２３、時間測定部２４、イベント検知部２５、制御部２６Ｂ及び記憶部２７を備える。制御部２６Ｂは、例えばＣＰＵであり、イベント録画情報記録制御部２６１、イベント検知情報送信制御部２６２Ｂ、タグ付与指示情報受信制御部２６３及びタグ付与部２６４を備える。
【０１８５】
イベント検知情報送信制御部２６２Ｂは、通信部２１を介して、イベント検知部２５により所定のイベントの発生が検知された時点の車両４の位置を示す位置情報と、所定のイベントの発生が検知された時刻を示す時刻情報とを少なくとも含むイベント検知情報を管理装置１Ｂに送信する。イベント検知情報送信制御部２６２Ｂは、イベント検知部２５により所定のイベントの発生が検知されると、位置測定部２３から撮影装置２Ｂの位置情報を取得するとともに、時間測定部２４から現在時刻を取得する。そして、イベント検知情報送信制御部２６２Ｂは、取得した位置情報をイベント検知位置情報として含むとともに、取得した時刻をイベント検知時刻情報として含むイベント検知情報を生成し、生成したイベント検知情報を管理装置１Ｂに送信する。
【０１８６】
図１５は、本実施の形態３における管理装置の処理を説明するためのフローチャートである。
【０１８７】
なお、図１５に示すステップＳ７１〜ステップＳ７４の処理は、図５に示すステップＳ１１〜ステップＳ１４の処理と同じであるので、説明を省略する。
【０１８８】
ステップＳ７４でイベント検知位置が車両４の走行ルート上に存在しないと判定された場合（ステップＳ７４でＮＯ）、処理が終了する。
【０１８９】
一方、ステップＳ７４でイベント検知位置が車両４の走行ルート上に存在すると判定された場合（ステップＳ７４でＹＥＳ）、時刻判定部１２４は、イベント検知情報取得部１２１によって取得されたイベント検知情報からイベント検知時刻情報を抽出する（ステップＳ７５）。
【０１９０】
次に、時刻判定部１２４は、イベント検知時刻情報の示すイベント検知時刻が、イベント検知位置を車両４が過去に通過した際の移動時刻により特定される通過時間帯に含まれるか否かを判定する。ここで、イベント検知時刻が通過時間帯に含まれないと判定された場合（ステップＳ７６でＮＯ）、処理が終了する。
【０１９１】
一方、イベント検知時刻が通過時間帯に含まれると判定された場合（ステップＳ７６でＹＥＳ）、タグ付与制御部１２３は、通信部１１を介して、所定のイベントの発生が検知された時点を含む所定期間の撮影データが危険な状況が映る撮影データであることを示すタグ情報をイベント録画情報に付与するように指示するタグ付与指示情報を撮影装置２Ｂへ送信する（ステップＳ７７）。
【０１９２】
なお、撮影装置２Ｂの処理は、図８に示す実施の形態１における撮影装置２の処理とほぼ同じであり、図８のステップＳ３７の処理のみが異なる。本実施の形態３では、図８のステップＳ３７において、イベント検知情報送信制御部２６２Ｂが、通信部２１を介して、ステップＳ３３で測定したイベントの発生が検知された時点の位置を示すイベント検知位置情報と、ステップＳ３４で測定したイベントの発生が検知された時刻を示すイベント検知時刻情報とを含むイベント検知情報を管理装置１Ｂに送信する。
【０１９３】
（実施の形態４）
実施の形態１では、危険判定部１２２は、イベント検知位置が、車両４が過去に複数回数通過したことがある位置であるか否かを判定している。これに対し、実施の形態４では、管理装置は、所定のイベントの発生が検知された時点の車両４の外部環境を示す環境情報を取得し、イベント検知位置が、車両４が過去に複数回数通過したことがある位置であると判定された場合、環境情報の示す外部環境が、イベント検知位置を車両４が過去に通過した際の外部環境と一致するか否かを判定する。
【０１９４】
すなわち、イベント検知位置が、車両４が過去に複数回数通過したことがある位置であり、かつ、イベントの発生が検知された際の車両４の外部環境が、イベント検知位置を車両４が過去に通過した際の外部環境と一致する場合、発生したイベントは、危険な状況に起因して発生した可能性が高い。そのため、危険な状況が映る撮影画像を抽出する精度をより高くすることができる。
【０１９５】
図１６は、本実施の形態４における管理装置の構成を示すブロック図である。なお、本実施の形態４の管理装置１Ｃにおいて、実施の形態１の管理装置１と同じ構成については同じ符号を付し、説明を省略する。
【０１９６】
管理装置１Ｃは、通信部１１、制御部１２Ｃ及び記憶部１３Ｃを備える。制御部１２Ｃは、例えばＣＰＵであり、イベント検知情報取得部１２１、危険判定部１２２、タグ付与制御部１２３及び外部環境判定部１２５を備える。
【０１９７】
記憶部１３Ｃは、イベント検知情報記憶部１３１、行動履歴情報記憶部１３２Ｃ及び他装置情報記憶部１３４を備える。行動履歴情報記憶部１３２Ｃは、走行ルート情報記憶部１３２１を備える。
【０１９８】
イベント検知情報取得部１２１は、通信部１１を介して、撮影装置２Ｂによって送信されたイベント検知情報を取得する。本実施の形態３におけるイベント検知情報は、車両４に設置された撮影装置２Ｂの撮影により得られる撮像画像の記録のトリガとなる所定のイベントの発生が検知された時点の車両４の位置を示すイベント検知位置情報と、所定のイベントの発生が検知された時点の車両４の外部環境を示すイベント検知環境情報と、所定のイベントを識別するためのイベント識別情報とを含む。
【０１９９】
イベント検知環境情報は、天候を示す情報、車両４が通過する道路が混雑しているか否かを示す情報、及び車両４の外部の明るさを示す情報のうちの少なくとも１つを含む。
【０２００】
外部環境判定部１２５は、危険判定部１２２によってイベント検知位置情報の示すイベント検知位置が、ドライバーが複数回訪れたと推定される位置であると判定された場合、イベント検知環境情報の示す外部環境が、イベント検知位置を車両４が過去に通過した際の外部環境と一致するか否かを判定する。なお、走行ルート情報記憶部１３２１は、車両４の過去の外部環境を記憶しており、例えば、過去の走行ルート上の所定の位置の外部環境を記憶している。
【０２０１】
タグ付与制御部１２３は、イベントの発生が検知された際の外部環境が、イベント検知位置を車両４が過去に通過した際の外部環境と一致すると判定された場合、通信部１１を介して、所定のイベントの発生が検知された時点を含む所定期間の撮影データが危険な状況が映る撮影データであることを示すタグ情報をイベント録画情報に付与するように指示するタグ付与指示情報を撮影装置２Ｃへ送信する。
【０２０２】
図１７は、本実施の形態４における撮影装置の構成を示すブロック図である。なお、本実施の形態４の撮影装置２Ｃにおいて、実施の形態１の撮影装置２と同じ構成については同じ符号を付し、説明を省略する。
【０２０３】
撮影装置２Ｃは、通信部２１、撮影部２２、位置測定部２３、時間測定部２４、イベント検知部２５、制御部２６Ｃ及び記憶部２７を備える。制御部２６Ｃは、例えばＣＰＵであり、イベント録画情報記録制御部２６１、イベント検知情報送信制御部２６２Ｃ、タグ付与指示情報受信制御部２６３、タグ付与部２６４及び環境情報取得部２６６を備える。
【０２０４】
環境情報取得部２６６は、所定のイベントの発生が検知された時点の車両４の外部環境を示すイベント検知環境情報を取得する。イベント検知環境情報は、天候を示す情報、車両４が通過する道路が混雑しているか否かを示す情報、及び車両４の外部の明るさを示す情報のうちの少なくとも１つを含む。
【０２０５】
環境情報取得部２６６は、撮影部２２によって撮影された車両４の外部の撮影画像に基づいて、車両４の外部の天候が晴れ、雨、雪及び曇りのいずれであるかを判断し、天候を示すイベント検知環境情報を生成する。なお、環境情報取得部２６６は、通信部２１を介して、外部装置からイベント検知位置の天候の情報を取得してもよい。
【０２０６】
また、環境情報取得部２６６は、撮影部２２によって撮影された車両４の外部の撮影画像に基づいて、車両４が通過する道路が混雑しているか否かを判断し、車両４が通過する道路が混雑しているか否かを示すイベント検知環境情報を生成する。なお、環境情報取得部２６６は、通信部２１を介して、外部装置からイベント検知位置の道路が混雑しているか否かを示す情報を取得してもよい。
【０２０７】
また、環境情報取得部２６６は、撮影部２２によって撮影された車両４の外部の撮影画像に基づいて、車両４の外部の明るさを判断し、車両４の外部の明るさを示すイベント検知環境情報を生成する。なお、車両４に配置された照度計が、車両４の外部の明るさを測定してもよい。
【０２０８】
イベント検知情報送信制御部２６２Ｃは、通信部２１を介して、イベント検知部２５により所定のイベントの発生が検知された時点の車両４の位置を示す位置情報と、所定のイベントの発生が検知された時点の車両４の外部環境を示すイベント検知環境情報とを少なくとも含むイベント検知情報を管理装置１Ｃに送信する。イベント検知情報送信制御部２６２Ｃは、イベント検知部２５により所定のイベントの発生が検知されると、位置測定部２３から撮影装置２Ｃの位置情報を取得するとともに、環境情報取得部２６６からイベント検知環境情報を取得する。そして、イベント検知情報送信制御部２６２Ｃは、取得した位置情報をイベント検知位置情報として含むとともに、取得したイベント検知環境情報とを含むイベント検知情報を生成し、生成したイベント検知情報を管理装置１Ｃに送信する。
【０２０９】
図１８は、本実施の形態４における管理装置の処理を説明するためのフローチャートである。
【０２１０】
なお、図１８に示すステップＳ８１〜ステップＳ８４の処理は、図５に示すステップＳ１１〜ステップＳ１４の処理と同じであるので、説明を省略する。
【０２１１】
ステップＳ８４でイベント検知位置が車両４の走行ルート上に存在しないと判定された場合（ステップＳ８４でＮＯ）、処理が終了する。
【０２１２】
一方、ステップＳ８４でイベント検知位置が車両４の走行ルート上に存在すると判定された場合（ステップＳ８４でＹＥＳ）、外部環境判定部１２５は、イベント検知情報取得部１２１によって取得されたイベント検知情報からイベント検知環境情報を抽出する（ステップＳ８５）。
【０２１３】
次に、時刻判定部１２４は、イベント検知環境情報の示す外部環境が、イベント検知位置を車両４が過去に通過した際の外部環境と一致するか否かを判定する。ここで、外部環境が、イベント検知位置を車両４が過去に通過した際の外部環境と一致しないと判定された場合（ステップＳ８６でＮＯ）、処理が終了する。
【０２１４】
一方、外部環境が、イベント検知位置を車両４が過去に通過した際の外部環境と一致すると判定された場合（ステップＳ８６でＹＥＳ）、タグ付与制御部１２３は、通信部１１を介して、所定のイベントの発生が検知された時点を含む所定期間の撮影データが危険な状況が映る撮影データであることを示すタグ情報をイベント録画情報に付与するように指示するタグ付与指示情報を撮影装置２Ｃへ送信する（ステップＳ８７）。
【０２１５】
図１９は、本実施の形態４における撮影装置の処理を説明するためのフローチャートである。
【０２１６】
なお、図１９に示すステップＳ９１〜ステップＳ９４の処理は、図８に示すステップＳ３１〜ステップＳ３４の処理と同じであるので、説明を省略する。
【０２１７】
次に、環境情報取得部２６６は、所定のイベントの発生が検知された時点の車両４の外部環境を示すイベント検知環境情報を取得する（ステップＳ９５）。
【０２１８】
図１９に示すステップＳ９６〜ステップＳ９７の処理は、図８に示すステップＳ３５〜ステップＳ３６の処理と同じであるので、説明を省略する。
【０２１９】
次に、イベント検知情報送信制御部２６２Ｃは、通信部２１を介して、ステップＳ９３で測定したイベントの発生が検知された時点の車両４の位置を示すイベント検知位置情報と、ステップＳ９５で取得したイベントの発生が検知された時点の車両４の外部環境を示すイベント検知環境情報とを含むイベント検知情報を管理装置１Ｃに送信する（ステップＳ９８）。
【０２２０】
図１９に示すステップＳ９９〜ステップＳ１０１の処理は、図８に示すステップＳ３８〜ステップＳ４０の処理と同じであるので、説明を省略する。
【０２２１】
以上、本開示のシステムについて、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、本開示の一つまたは複数の態様の範囲内に含まれてもよい。
【０２２２】
例えば、上記各実施の形態では、管理装置１がサーバである例を説明したが、管理装置１はこれに限定されない。具体的には、管理装置１は上述したスマートフォンなどの端末装置であってもよい。
【０２２３】
また、上記各実施の形態では、記録制御がタグ付与である例を説明したが、記録制御は記録有無であってもよい。例えば、タグ付与制御部１２３の代わりに記録制御部が設けられ、記録制御部は、危険判定部１２２により、イベント検知位置情報の示す位置が、運転者が複数回訪れたと推定される位置であると判定された場合に撮影画像を記録し、イベント検知位置情報の示す位置が、運転者が複数回訪れたと推定される位置であると判定されなかった場合に撮影画像を記録しないとしてよい。
【０２２４】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０２２５】
本開示の実施の形態に係る装置の機能の一部又は全ては典型的には集積回路であるＬＳＩ（Ｌａｒｇｅ  Ｓｃａｌｅ  Ｉｎｔｅｇｒａｔｉｏｎ）として実現される。これらは個別に１チップ化されてもよいし、一部又は全てを含むように１チップ化されてもよい。また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【０２２６】
また、本開示の実施の形態に係る装置の機能の一部又は全てを、ＣＰＵ等のプロセッサがプログラムを実行することにより実現してもよい。
【０２２７】
また、上記で用いた数字は、全て本開示を具体的に説明するために例示するものであり、本開示は例示された数字に制限されない。
【０２２８】
また、上記フローチャートに示す各ステップが実行される順序は、本開示を具体的に説明するために例示するためのものであり、同様の効果が得られる範囲で上記以外の順序であってもよい。また、上記ステップの一部が、他のステップと同時（並列）に実行されてもよい。
【０２２９】
さらに、本開示の主旨を逸脱しない限り、本開示の各実施の形態に対して当業者が思いつく範囲内の変更を施した各種変形例も本開示に含まれる。
【産業上の利用可能性】
【０２３０】
本開示に係る情報処理方法、情報処理装置及び情報処理プログラムは、異常な状況が映る撮影画像を効率よく収集することができ、移動体に設置された撮影装置により撮影された撮像画像に対して処理を行う情報処理方法、情報処理装置及び情報処理プログラムとして有用である。
【符号の説明】
【０２３１】
１，１Ａ，１Ｂ，１Ｃ    管理装置
２，２Ａ，２Ｂ，２Ｃ    撮影装置
４    車両
５    通信ネットワーク
１１    通信部
１２，１２Ａ，１２Ｂ，１２Ｃ    制御部
１３，１３Ｂ，１３Ｃ    記憶部
２１    通信部
２２    撮影部
２３    位置測定部
２４    時間測定部
２５    イベント検知部
２６，２６Ａ，２６Ｂ，２６Ｃ    制御部
２７    記憶部
１２１    イベント検知情報取得部
１２２    危険判定部
１２３，１２３Ａ    タグ付与制御部
１２４    時刻判定部
１２５    外部環境判定部
１３１    イベント検知情報記憶部
１３２，１３２Ｂ，１３２Ｃ    行動履歴情報記憶部
１３３    関係者情報記憶部
１３４    他装置情報記憶部
２６１    イベント録画情報記録制御部
２６２，２６２Ｂ，２６２Ｃ    イベント検知情報送信制御部
２６３    タグ付与指示情報受信制御部
２６４    タグ付与部
２６５    分類制御部
２６６    環境情報取得部
２７１    自装置情報記憶部
２７２    他装置情報記憶部
２７３    撮影情報記憶部
２７４    イベント録画情報記憶部
１３２１    走行ルート情報記憶部
１３２２    登録情報記憶部
１３２３    ドライバー移動履歴記憶部
【図１】
2019028986.tif 000003
【図２】
2019028986.tif 000004
【図３】
2019028986.tif 000005
【図４】
2019028986.tif 000006
【図５】
2019028986.tif 000007
【図６】
2019028986.tif 000008
【図７】
2019028986.tif 000009
【図８】
2019028986.tif 000010
【図９】
2019028986.tif 000011
【図１０】
2019028986.tif 000012
【図１１】
2019028986.tif 000013
【図１２】
2019028986.tif 000014
【図１３】
2019028986.tif 000015
【図１４】
2019028986.tif 000016
【図１５】
2019028986.tif 000017
【図１６】
2019028986.tif 000018
【図１７】
2019028986.tif 000019
【図１８】
2019028986.tif 000020
【図１９】
2019028986.tif 000021